(57)【要約】【課題】  容易且つ確実に厨芥を排出できる水切り部材を備える厨芥処理装置を提供する。【解決手段】  シンクの排水口に接続される厨芥投入口が上部に形成され、排出管に接続される厨芥排出口が下部に形成された粉砕処理室と、粉砕処理室内に且つ厨芥排出口の上方に配設された回転円板と、回転円板を駆動する駆動装置と、回転円板の上面に取り付けられた打撃刃と、粉砕処理室内に且つ打撃刃及び回転円板外周から径方向隙間を隔てて配設された環状固定刃とを備える厨芥処理装置であって、粉砕処理室内に且つ回転円板の上方に上端が開放され下端には厨芥を貯留するための底壁を有さず周側壁に複数の小孔が形成された水切り筒が配設され、水切り筒の下端は回転円板の外周よりも径方向内側に位置決めされ、水切り筒下端と回転円板との上下方向距離が可変である。【選択図】  図１
2007075695.tif 000002
【特許請求の範囲】
【請求項１】
シンクの排水口に接続される厨芥投入口が上部に形成され、排出管に接続される厨芥排出口が下部に形成された粉砕処理室と、粉砕処理室内に且つ厨芥排出口の上方に配設された回転円板と、回転円板を駆動する駆動装置と、回転円板の上面に取り付けられた打撃刃と、粉砕処理室内に且つ打撃刃及び回転円板外周から径方向隙間を隔てて配設された環状固定刃とを備える厨芥処理装置であって、粉砕処理室内に且つ回転円板の上方に上端が開放され下端には厨芥を貯留するための底壁を有さず周側壁に複数の小孔が形成された水切り筒が配設され、水切り筒の下端は回転円板の外周よりも径方向内側に位置決めされ、水切り筒下端と回転円板との上下方向距離が可変であることを特徴とする厨芥処理装置。
【請求項２】
回転円板が、上方位置と下方位置とに位置変更可能であることを特徴とする請求項１に記載の厨芥処理装置。
【請求項３】
シンクの排水口に接続される厨芥投入口が上部に形成され、排出管に接続される厨芥排出口が下部に形成された粉砕処理室と、粉砕処理室内に且つ厨芥排出口の上方に配設された回転円板と、回転円板を駆動する駆動装置と、回転円板の上面に取り付けられた打撃刃と、粉砕処理室内に且つ打撃刃及び回転円板外周から径方向隙間を隔てて配設された環状固定刃とを備える厨芥処理装置であって、粉砕処理室内に且つ回転円板の上方に上端が開放され下端には厨芥を貯留するための底壁を有さず周側壁に複数の小孔が形成された水切り筒が配設され、水切り筒の下端は回転円板の外周よりも径方向内側に位置決めされ、回転円板に同期して回転すると共に水切り筒の下端に対峙する邪魔板が回転円板と水切り筒の下端との間に配設され、水切り筒下端と邪魔板との間の上下方向距離が可変であることを特徴とする厨芥処理装置。
【請求項４】
水切り筒全体が下方位置と上方位置とに位置変更可能であることを特徴とする請求項１又は３に記載の厨芥処理装置。
【請求項５】
水切り筒は、上部と、上下移動可能に上部に嵌合する下部とを有し、下部は上方位置と下方位置とに位置変更可能であることを特徴とする請求項１又は３に記載の厨芥処理装置。
【請求項６】
水切り筒は、上部と、周方向に互いに隣接しヒンジを介して径方向外方へ揺動可能に上部に連結された複数の帯板から成る下部とを有することを特徴とする請求項１又は３に記載の厨芥処理装置。
【請求項７】
邪魔板が、上方位置と下方位置とに位置変更可能であることを特徴とする請求項３に記載の厨芥処理装置。
【発明の詳細な説明】
【技術分野】
【０００１】
本発明は、厨芥処理装置に関するものである。
【背景技術】
【０００２】
シンクの排水口に接続される厨芥投入口が上部に形成され、排出管に接続される厨芥排出口が下部に形成された粉砕処理室と、粉砕処理室内に且つ排出口の上方に配設された回転円板と、回転円板を駆動する駆動装置と、回転円板の上面に取り付けられた打撃刃と、粉砕処理室内に且つ打撃刃及び回転円板外周から径方向隙間を隔てて配設された環状固定刃とを備える厨芥処理装置であって、粉砕処理室内に且つ回転円板の上方に、上端が開放され底壁と周側壁とに多数の小孔が形成された水切り籠が配設された厨芥処理装置が、特許文献１に開示されている。
上記厨芥処理装置においては、回転円板の停止時に、水切り籠に厨芥が投入されて当該籠内に貯留され、厨芥中の水分が水切り籠から排出される。水切り籠から排出された水は、回転円板の外周と環状固定刃との間の径方向隙間を介して粉砕処理室の下部へ流入し、厨芥排出口を介して排出管へ排出される。
回転円板の回転時には、水切り籠が上下反転され或いは水切り籠の底壁が開放されることにより、水切り籠内に貯留された厨芥が回転円板上に落ち、回転円板に従動して回転し、遠心力により回転円板の外周部へ移動して環状固定刃に押し付けられ、回転する打撃刃から打撃を受けて粉砕される。粉砕された厨芥は、回転円板外周と環状固定刃との間の径方向隙間を通って粉砕処理室の下部へ落下し、排出口を通って排出管へ排出される。
【特許文献１】特開平１０−２９６１１２号公報
【発明の開示】
【発明が解決しようとする課題】
【０００３】
特許文献１の厨芥処理装置には、水切り籠の底壁を開放し或いは水切り籠を上下反転させただけでは水切り籠底壁の網目に詰まった厨芥を除去できず、また水切り籠内に貯留された厨芥は自重により水切り籠から排出されるので、多量の厨芥が水切り籠に貯留されているとセルフロック状態になって厨芥が水切り籠から排出され難いという問題がある。
本発明は上記課題に鑑みてなされたものであり、シンクの排水口に接続される厨芥投入口が上部に形成され、排出管に接続される厨芥排出口が下部に形成された粉砕処理室と、粉砕処理室内に且つ排出口の上方に配設された回転円板と、回転円板を駆動する駆動装置と、回転円板の上面に取り付けられた打撃刃と、粉砕処理室内に且つ打撃刃及び回転円板外周から径方向隙間を隔てて配設された環状固定刃とを備える厨芥処理装置であって、容易且つ確実に厨芥を排出できる水切り部材を備える厨芥処理装置を提供することを目的とする。
【課題を解決するための手段】
【０００４】
上記課題を解決するために、本発明においては、シンクの排水口に接続される厨芥投入口が上部に形成され、排出管に接続される厨芥排出口が下部に形成された粉砕処理室と、粉砕処理室内に且つ厨芥排出口の上方に配設された回転円板と、回転円板を駆動する駆動装置と、回転円板の上面に取り付けられた打撃刃と、粉砕処理室内に且つ打撃刃及び回転円板外周から径方向隙間を隔てて配設された環状固定刃とを備える厨芥処理装置であって、粉砕処理室内に且つ回転円板の上方に上端が開放され下端には厨芥を貯留するための底壁を有さず周側壁に複数の小孔が形成された水切り筒が配設され、水切り筒の下端は回転円板の外周よりも径方向内側に位置決めされ、水切り筒下端と回転円板との上下方向距離が可変であることを特徴とする厨芥処理装置を提供する。
【０００５】
本発明に係る厨芥処理装置においては、回転円板の停止時には水切り筒下端と回転円板との上下方向距離を微小値まで減少させ、水切り筒下端と回転円板との間の上下方向隙間を介する水切り筒外への厨芥の漏出を防止して水切り筒内に厨芥を貯留し、厨芥中の水分を水切り筒外へ排出する。回転円板の回転時には水切り筒下端と回転円板との上下方向距離を増加させ、回転円板により惹起される遠心力を利用し、厨芥を、水切り筒下端と回転円板との上下方向隙間を介して、水切り筒から径方向外方へ排出させ、打撃刃と環状固定刃とにより粉砕する。
水切り筒は底壁を有さないので、底壁に厨芥が詰まる事態は発生しない。また多量の厨芥が水切り筒に貯留されてセルフロック状態になっていても、回転円板により惹起される遠心力を受けて水切り筒から強制排出される厨芥がセルフロック状態になった厨芥に衝突してセルフロックを解除するので、厨芥は確実に水切り筒から排出される。また、底壁の開放や上下反転のような複雑な操作を要することなく、水切り筒下端と回転円板との上下方向距離を増加させるだけで、容易に厨芥を水切り筒から排出することができる。
【０００６】
本発明の好ましい態様においては、水切り筒全体が下方位置と上方位置とに位置変更可能である。
本発明の好ましい態様においては、水切り筒は、上部と、上下移動可能に上部に嵌合する下部とを有し、下部は上方位置と下方位置とに位置変更可能である。
本発明の好ましい態様においては、水切り筒は、上部と、周方向に互いに隣接しヒンジを介して径方向外方へ揺動可能に上部に連結された複数の帯板から成る下部とを有する。
本発明の好ましい態様においては、回転円板が、上方位置と下方位置とに位置変更可能である。
水切り筒下端と回転円板との上下方向距離を可変とするために、水切り筒全体を下方位置と上方位置とに位置変更可能としても良く、水切り筒を、上部と、上下移動可能に上部に嵌合する下部とで構成し、下部を上方位置と下方位置とに位置変更可能としても良く、水切り筒を、上部と、周方向に互いに隣接しヒンジを介して径方向外方へ揺動可能に上部に連結された複数の帯板から成る下部とで構成しても良く、或いは回転円板を、上方位置と下方位置とに位置変更可能としても良い。
【０００７】
本発明においては、シンクの排水口に接続される厨芥投入口が上部に形成され、排出管に接続される厨芥排出口が下部に形成された粉砕処理室と、粉砕処理室内に且つ厨芥排出口の上方に配設された回転円板と、回転円板を駆動する駆動装置と、回転円板の上面に取り付けられた打撃刃と、粉砕処理室内に且つ打撃刃及び回転円板外周から径方向隙間を隔てて配設された環状固定刃とを備える厨芥処理装置であって、粉砕処理室内に且つ回転円板の上方に上端が開放され下端には厨芥を貯留するための底壁を有さず周側壁に複数の小孔が形成された水切り筒が配設され、水切り筒の下端は回転円板の外周よりも径方向内側に位置決めされ、回転円板に同期して回転すると共に水切り筒の下端に対峙する邪魔板が回転円板と水切り筒の下端との間に配設され、水切り筒下端と邪魔板との間の上下方向距離が可変であることを特徴とする厨芥処理装置を提供する。
本発明に係る厨芥処理装置においては、回転円板の停止時には邪魔板と水切り筒下端との間の上下方向距離を微小値まで減少させ、水切り筒下端と邪魔板との間の上下方向隙間を介する水切り筒外への厨芥の漏出を防止して水切り筒内に厨芥を貯留し、厨芥中の水分を水切り筒外へ排出する。回転円板の回転時には水切り筒下端と邪魔板との上下方向距離を増加させ、邪魔板により惹起される遠心力を利用し、厨芥を、水切り筒下端と邪魔板との上下方向隙間を介して、水切り筒から径方向外方へ且つ回転円板上に排出させ、回転円板により惹起される遠心力を利用して厨芥を打撃刃と環状固定刃の間まで移動させ、打撃刃と環状固定刃とにより粉砕する。
水切り筒は底壁を有さないので、底壁に厨芥が詰まる事態は発生しない。また多量の厨芥が水切り筒に貯留されてセルフロック状態になっていても、邪魔板により惹起される遠心力を受けて水切り筒から強制排出される厨芥がセルフロック状態になった厨芥に衝突してセルフロックを解除するので、厨芥は確実に水切り筒から排出される。また、底壁の開放や上下反転のような複雑な操作を要することなく、水切り筒下端と邪魔板との上下方向距離を増加させるだけで、容易に厨芥を水切り筒から排出することができる。
【０００８】
本発明の好ましい態様においては、水切り筒全体が下方位置と上方位置とに位置変更可能である。
本発明の好ましい態様においては、水切り筒は、上部と、上下移動可能に上部に嵌合する下部とを有し、下部は上方位置と下方位置とに位置変更可能である。
本発明の好ましい態様においては、水切り筒は、上部と、周方向に互いに隣接しヒンジを介して径方向外方へ揺動可能に上部に連結された複数の帯板から成る下部とを有する。
本発明の好ましい態様においては、邪魔板が、上方位置と下方位置とに位置変更可能である。
水切り筒下端と邪魔板との上下方向距離を可変とするために、水切り筒全体を下方位置と上方位置とに位置変更可能としても良く、水切り筒を、上部と、上下移動可能に上部に嵌合する下部とで構成し、下部を上方位置と下方位置とに位置変更可能としても良く、水切り筒を、上部と、周方向に互いに隣接しヒンジを介して径方向外方へ揺動可能に上部に連結された複数の帯板から成る下部とで構成しても良く、或いは邪魔板を、上方位置と下方位置とに位置変更可能としても良い。
【発明の効果】
【０００９】
本発明に係る厨芥処理装置においては、水切り筒は底壁を有さないので、底壁に厨芥が詰まる事態は発生しない。また多量の厨芥が水切り筒に貯留されてセルフロック状態になっていても、回転円板により惹起される遠心力を受けて水切り筒から強制排出される厨芥がセルフロック状態になった厨芥に衝突してセルフロックを解除するので、厨芥は確実に水切り筒から排出される。また、底壁の開放や上下反転のような複雑な操作を要することなく、水切り筒下端と回転円板との上下方向距離を増加させるだけで、容易に厨芥を水切り筒から排出することができる。
【発明を実施するための最良の形態】
【００１０】
本発明の実施例に係る厨芥処理装置を説明する。
【実施例１】
【００１１】
図１（ａ）に示すように、厨芥処理装置Ａは、キッチンシンクαの排水口α’に接続される厨芥投入口１が上部に形成され、排出管βに接続される厨芥排出口２が下部側面に形成された有底円筒状の粉砕処理室３と、粉砕処理室３内に且つ厨芥排出口２の上方に配設された回転円板４と、粉砕処理室３の底壁下面に固定されて回転円板４を駆動するモータ５と、周方向に互いに間隔を隔てて回転円板４の外周部上面に取り付けられた複数の打撃刃６と、粉砕処理室３内に且つ打撃刃６及び回転円板４外周から径方向隙間７を隔てて配設され、粉砕処理室３の周側壁に固定された環状固定刃８とを備えている。環状固定刃８の内周面には、周方向に互いに所定間隔を隔てて配設された複数の凹凸により構成される刃部が形成されている。
粉砕処理室３内に且つ回転円板４の上方に、上端が開放され下端には厨芥を貯留するための底壁を有さず周側壁に複数の小孔が形成された水切り筒９が配設されている。水切り筒９の下端は、回転円板４の外周よりも径方向内側に位置決めされている。水切り筒９は、基本的に上下端が開放された筒体であるが、形状保持のために、厨芥を貯留できない程度の細さの棒状体を下端に差し渡し、或いは厨芥を貯留できない程度の狭幅の内フランジを下端に形成しても良い。
水切り筒９の上端近傍部に形成された外フランジ９ａが粉砕処理室３の厨芥投入口１に固定した内フランジ３ａに上方から当接した状態で、水切り筒９は厨芥投入口１に掛止されている。外フランジ９ａの外周面に形成された図示しない突起が厨芥投入口１の内周面に形成された上下に延在する図示しない溝に係合することにより、水切り筒９は、回転不能に上方移動可能に厨芥投入口１に掛止されている。外フランジ９ａが内フランジ３ａに当接した状態では、水切り筒９は下方位置に保持されている。水切り筒９が下方位置に在る時は、水切り筒９の下端は回転円板４に接近しており、両者間の上下方向距離は微小値になっている。
水切り筒９の上端に、径方向内方へ差し向けられた突起９ｂが、周方向に互いに間隔を隔てて複数形成されている。厨芥投入口１に掛止可能な蓋部材１０の外周面に、突起９ｂと係合可能な複数の螺旋溝１０ａが形成されている。蓋部材１０の螺旋溝１０ａを突起９ａに係合させつつ蓋部材１０を厨芥投入口に掛止させ、蓋部材１０を所定方向へ所定角度回転させると、図１（ｂ）に示すように、突起９ｂが螺旋溝１０ａに沿って螺旋溝１０ａの終点まで移動し、水切り筒９が上方位置まで引き上げられる。蓋部材１０を逆方向へ回転させない限り、水切り筒９は上方位置に保持される。図１（ｂ）に実線で示すように打撃刃６が低い場合には、水切り筒９が上方位置に在る時に水切り筒９の下端は打撃刃６の上端よりも僅かに上方に在り、図１（ｂ）に一点鎖線で示すように打撃刃６が高い場合には、水切り筒９が上方位置に在る時に水切り筒９の下端は打撃刃６の上端よりも下方に在り、水切り筒９の下端と回転円板４との間の上下方向距離は比較的小さいが、水切り筒９が下方位置に在る時に比べると増加している。
水切り筒９よりも径方向外方で、回転円板４に複数の図示しない小孔が形成されている。
【００１２】
厨芥処理装置Ａの作動を説明する。
回転円板４の停止時には、図１（ａ）に示すように、蓋部材１０は厨芥投入口１には掛止されておらず、水切り筒９は図１に示す下方位置に保持されている。水切り筒９の内部に厨芥が貯留される。水切り筒周側壁の小孔と、水切り筒９下端と回転円板４との間の上下方向隙間Ｓとを通って、厨芥中の水分が水切り筒９から排出される。水切り筒９から排出された水分は、水切り筒９よりも径方向外方で回転円板４に形成された複数の図示しない小孔と、径方向隙間７とを通って、回転円板４下方の粉砕処理室３下部に流入し、塵芥排出口２を通って排出管βへ排出される。
水切り筒９の下端は、回転円板４の外周よりも径方向内側に位置決めされているので、回転円板の停止時に、水切り筒９内に貯留された厨芥が、回転円板４の外周と環状固定刃８との間の径方向隙間７を塞ぐおそれはない。
【００１３】
回転円板４を回転させる前に、図１（ｂ）に示すように、厨芥の飛散防止及び安全性確保のために、蓋部材１０が厨芥投入口１に掛止される。蓋部材１０を回転させることにより、水切り筒９が上方位置へ引き上げられ、当該位置に保持される。
回転円板４の回転時に、水切り筒９内に貯留された厨芥は、回転円板４に従動して回転し、遠心力を受け、水切り筒９の下端と回転円板４との間の上下方向隙間Ｓを通って水切り筒９から径方向外方へ排出され、環状固定刃８に押し付けられ、打撃刃６の打撃を受けて粉砕される。粉砕された厨芥は、回転円板４の外周と環状固定刃８との間の径方向隙間７を通って粉砕処理室３の下部へ落下し、厨芥排出口２を通って排出管βへ排出される。
前述の如く水切り筒９の下端と回転円板４との間の上下方向隙間Ｓは比較的狭いが、回転円板４に従動して回転することにより、遠心力を受けるので、水切り筒９内の厨芥は、支障なく隙間Ｓを通って水切り筒９から径方向外方へ排出され、打撃刃６と環状固定刃８の間に運ばれる。前記隙間Ｓが堰となって、水切り筒９から排出される厨芥の流量が適正値に規制され、打撃刃６と環状固定刃８の間に運ばれる厨芥の流量が適正値に規制される。この結果、粉砕された厨芥が一挙に排出管βへ排出されて排出管βが詰る事態の発生が防止される。
水切り筒９は底壁を有さないので、底壁に厨芥が詰まる事態は発生しない。また多量の厨芥が水切り筒９に貯留されてセルフロック状態になっていても、回転円板４により惹起される遠心力を受けて水切り筒９から強制排出される厨芥がセルフロック状態になった厨芥に衝突してセルフロックを解除するので、厨芥は確実に水切り筒９から排出される。また、底壁の開放や上下反転のような複雑な操作を要することなく、水切り筒９下端と回転円板４との上下方向距離を増加させるだけで、容易に厨芥を水切り筒９から排出することができる。
なお、下方位置と上方位置とにおける水切り筒９の下端と回転円板４との間の上下方向距離の最適値は、実験に基づいて決定するのが望ましい。
【実施例２】
【００１４】
図２（ａ）に示すように、厨芥処理装置Ｂは、回転円板４の上方に配設された水切り筒１９と、厨芥投入口１に掛止可能な蓋部材２０とを備えている。水切り筒１９は、厨芥投入口１に掛止される上部１９ａと、上部１９ａに上下摺動可能に内嵌合する下部１９ｂと、複数のワイヤー１９ｃを介して下部１９ｂの上端に連結された中間部１９ｄとを有している。中間部１９ｄは下部１９ｂの内側に配設されている。ワイヤー１９ｃは、放射状に延びる複数の腕部材１９ｅを介して上部１９ａに固定されたリング部材１９ｆを跨いで、下部１９ｂから中間部１９ｄへ延びている。上部１９ａ、中間部１９ｄは上下端が開放されている。下部１９ｂは、上端が開放され下端には厨芥を貯留するための底壁を有さず周側壁に複数の小孔が形成されている。下部１９ｂの下端は、回転円板４の外周よりも径方向内側に位置決めされている。蓋部材２０は、厨芥投入口１に掛止された時に中間部１９ｄに上方から当接可能な筒部２０ａを有している。
水切り筒９、蓋部材１０に代えて、水切り筒１９、蓋部材２０を備える点を除き、厨芥処理装置Ｂの構成は厨芥処理装置Ａの構成と同様である。
厨芥処理装置Ｂにおいては、回転円板４の停止時には、図２（ａ）に示すように、蓋部材２０は厨芥投入口１に掛止されていない。水切り筒１９の下部１９ｂは、自重により、下方位置まで降下し、上部１９ａと下部１９ｂとの間に配設した図示しないストッパーの作動により、下方位置に保持される。下部１９ｂが下方位置に在る時、下部１９ｂの下端は回転円板４に接近しており、両者間の上下方向距離は微小値になっている。
水切り筒の下部１９ｂの下端は、回転円板４の外周よりも径方向内側に位置決めされているので、回転円板の停止時に、水切り筒１９内に貯留された厨芥が、回転円板４の外周と環状固定刃との間の径方向隙間を塞ぐおそれはない。
回転円板４を回転させる前に、図２（ｂ）に示すように、蓋部材２０が厨芥投入口１に掛止させる。蓋部材２０の筒部２０ａが中間部１９ｄに上方から当接し、中間部１９ｄを押し下げる。リング部材１９ｆを跨いだワイヤー１９ｃを介して中間部１９ｄに連結された下部１９ｂが上方位置へ引き上げられ、下部１９ｂの下端と回転円板４との間の上下方向距離が増加する。蓋部材２０が厨芥投入口１に掛止している限り、下部１９ｂは上方位置に保持される。
図２（ｂ）に実線で示すように打撃刃６が低い場合には、下部１９ｂが上方位置に在る時に下部１９ｂの下端は打撃刃６の上端よりも僅かに上方に在り、図２（ｂ）に一点鎖線で示すように打撃刃６が高い場合には、下部１９ｂが上方位置に在る時に下部１９ｂの下端は打撃刃６の上端よりも下方に在り、下部１９ｂの下端と回転円板４との間の上下方向距離は比較的小さいが、下部１９ｂが下方位置に在る時に比べると増加している。
水切り筒の下部１９ｂの下端と回転円板４との間の上下方向隙間は比較的狭いが、回転円板４に従動して回転することにより、遠心力を受けるので、水切り筒１９内の厨芥は、支障なく前記隙間を通って水切り筒１９から径方向外方へ排出され、打撃刃６と環状固定刃の間に運ばれる。前記隙間が堰となって、水切り筒１９から排出される厨芥の流量が適正値に規制され、打撃刃６と環状固定刃の間に運ばれる厨芥の流量が適正値に規制される。この結果、粉砕された厨芥が一挙に排出管へ排出されて排出管が詰まる事態の発生が防止される。
水切り筒１９は底壁を有さないので、底壁に厨芥が詰まる事態は発生しない。また多量の厨芥が水切り筒１９に貯留されてセルフロック状態になっていても、回転円板４により惹起される遠心力を受けて水切り筒１９から強制排出される厨芥がセルフロック状態になった厨芥に衝突してセルフロックを解除するので、厨芥は確実に水切り筒１９から排出される。また、底壁の開放や上下反転のような複雑な操作を要することなく、水切り筒１９下端と回転円板４との上下方向距離を増加させるだけで、容易に厨芥を水切り筒１９から排出することができる。
【実施例３】
【００１５】
図３（ａ）に示すように、厨芥処理装置Ｃは、水切り筒２９を備えている。図３（ｃ）に示すように、水切り筒２９は、厨芥投入口１に掛止される上部２９ａと、周方向に互いに隣接しヒンジ２９ｂを介して径方向外方へ揺動可能に上部２９ａに連結された複数の帯板２９ｃ’から成る下部２９ｃとを有している。下部２９ｃの下端は、回転円板４の外周よりも径方向内側に位置決めされている。上部２９ａの周側壁と帯板２９ｃ’とに複数の小孔が形成されている。上部２９ａは、モータ５により、回転円板４に同期して回転駆動される。
水切り筒９に代えて水切り筒２９を備える点を除き、厨芥処理装置Ｃの構成は厨芥処理装置Ａの構成と同様である。
厨芥処理装置Ｃにおいては、回転円板４の停止時には、図３（ａ）に示すように、水切り筒２９の帯板２９ｃ’は自重により鉛直に垂れ下がっており、水切り筒２９の下部２９ｃの下端は回転円板４に接近し、両者間の上下方向距離は微小値になっている。
水切り筒の下部２９ｃの下端は、回転円板４の外周よりも径方向内側に位置決めされているので、回転円板４の停止時に、水切り筒２９内に貯留された厨芥が、回転円板４の外周と環状固定刃との間の径方向隙間を塞ぐおそれはない。
回転円板４が回転すると、図３（ｂ）に示すように、水切り筒２９の上部２９ａが回転円板４に同期して回転し、上部２９ａに従動して下部２９ｃが回転する。下部２９ｃが回転すると、遠心力により、帯板２９ｃ’が径方向外方へ揺動し、帯板２９ｃ’の下端、ひいては下部２９ｃの下端と回転円板４との間の上下方向距離が増加する。
図３（ｂ）に実線で示すように打撃刃６が低い場合には、下部２９ｃの下端は打撃刃６の上端よりも僅かに上方に在り、図３（ｂ）に一点鎖線で示すように打撃刃６が高い場合には、下部２９ｃの下端は打撃刃６の上端よりも下方に在り、下部２９ｃの下端と回転円板４との間の上下方向距離は比較的小さいが、回転円板４が停止している時に比べると増加している。
水切り筒の下部２９ｃの下端と回転円板４との間の上下方向隙間は比較的狭いが、回転円板４に従動して回転することにより、遠心力を受けるので、水切り筒２９内の厨芥は、支障なく前記隙間を通って水切り筒２９から径方向外方へ排出され、打撃刃６と環状固定刃の間に運ばれる。前記隙間が堰となって、水切り筒２９から排出される厨芥の流量が適正値に規制され、打撃刃６と環状固定刃の間に運ばれる厨芥の流量が適正値に規制される。この結果、粉砕された厨芥が一挙に排出管へ排出されて排出管が詰まる事態の発生が防止される。
水切り筒２９は底壁を有さないので、底壁に厨芥が詰まる事態は発生しない。また多量の厨芥が水切り筒２９に貯留されてセルフロック状態になっていても、回転円板４により惹起される遠心力を受けて水切り筒２９から強制排出される厨芥がセルフロック状態になった厨芥に衝突してセルフロックを解除するので、厨芥は確実に水切り筒２９から排出される。また、底壁の開放や上下反転のような複雑な操作を要することなく、水切り筒２９下端と回転円板４との上下方向距離を増加させるだけで、容易に厨芥を水切り筒２９から排出することができる。
【実施例４】
【００１６】
図４（ａ）に示すように、厨芥処理装置Ｄは、回転円板１４を備えている。回転円板１４の外周部上面に打撃刃６が固定されている。モータ５の出力軸５ａが、相対遊動可能に回転円板１４に挿通されている。出力軸５ａに外嵌合すると共に、下端が出力軸５ａに固定され上端が回転円板１４に固定されたコイルバネ１５を介して、回転円板１４は、出力軸５ａに作動係合している。棒部材１６ａの上端がコイルバネ１５の上端部に蝶着され、棒部材１６ｂの下端がコイルバネ１５の下端部に蝶着されている。棒部材１６ａの下端と棒部材１６ｂの上端とは、錘１７に蝶着されている。棒部材１６ａ、１６ｂと錘１７とにより構成される棒部材錘組立体１８が、周方向に互いに間隔を隔てて複数配設されている。
回転円板４に代えて、回転円板１４、コイルバネ１５、棒部材錘組立体１８を備える点を除き、厨芥処理装置Ｄの構成は厨芥処理装置Ａの構成と同様である。
厨芥処理装置Ｄにおいては、回転円板１４の停止時には、図４（ａ）に示すように、コイルバネ１５の付勢を受けて回転円板１４は上方位置まで押し上げられている。回転円板１４が上方位置に在る時、回転円板１４は水切り筒９の下端に接近しており、両者間の上下方向距離は微小値になっている。
水切り筒９の下端は、回転円板１４の外周よりも径方向内側に位置決めされているので、回転円板１４の停止時に、水切り筒９内に貯留された厨芥が、回転円板１４の外周と環状固定刃との間の径方向隙間を塞ぐおそれはない。
回転円板１４が回転すると、図４（ｂ）に示すように、回転円板１４に同期して棒部材錘組立体１８が回転し、錘１７に働く遠心力により棒部材１６ａ、１６ｂに軸力が発生し、当該軸力の上下方向成分がコイルバネ１５に働いて、コイルバネ１５が押し縮められる。この結果、回転円板１４は下方位置まで降下する。この結果、回転円板１４と水切り筒９の下端との間の上下方向距離が増加する。  図４（ｂ）に実線で示すように打撃刃６が低い場合には、水切り筒９の下端は打撃刃６の上端よりも僅かに上方に在り、図４（ｂ）に一点鎖線で示すように打撃刃６が高い場合には、水切り筒９の下端は打撃刃６の上端よりも下方に在り、水切り筒９の下端と回転円板１４との間の上下方向距離は比較的小さいが、回転円板１４が停止している時に比べると増加している。
水切り筒９の下端と回転円板１４との間の上下方向隙間は比較的狭いが、回転円板１４に従動して回転することにより、遠心力を受けるので、水切り筒９内の厨芥は、支障なく前記隙間を通って水切り筒９から径方向外方へ排出され、打撃刃６と環状固定刃の間に運ばれる。前記隙間が堰となって、水切り筒９から排出される厨芥の流量が適正値に規制され、打撃刃６と環状固定刃の間に運ばれる厨芥の流量が適正値に規制される。この結果、粉砕された厨芥が一挙に排出管へ排出されて排出管が詰まる事態の発生が防止される。
水切り筒９は底壁を有さないので、底壁に厨芥が詰まる事態は発生しない。また多量の厨芥が水切り筒９に貯留されてセルフロック状態になっていても、回転円板１４により惹起される遠心力を受けて水切り筒９から強制排出される厨芥がセルフロック状態になった厨芥に衝突してセルフロックを解除するので、厨芥は確実に水切り筒９から排出される。また、底壁の開放や上下反転のような複雑な操作を要することなく、水切り筒９下端と回転円板１４との上下方向距離を増加させるだけで、容易に厨芥を水切り筒９から排出することができる。
モータ５の回転数が上昇するのに連動して、水切り筒９の下端と回転円板１４との間の上下方向隙間が増加し、水切り筒９から排出され厨芥の流量が増加するので、モータ５始動直後の低回転時には、厨芥の慣性モーメントは小さい。この結果、モータ５は迅速に目標回転数まで増速することができる。また、モータ５の低回転時には、打撃刃６と環状固定刃の間に運ばれる厨芥の流量は小さいので、モータ５が過負荷になる事態の発生が防止される。
なお、下方位置と上方位置とにおける回転円板１４と水切り筒９下端との間の上下方向距離の最適値は、実験に基づいて決定するのが望ましい。
【実施例５】
【００１７】
図５（ａ）に示すように、厨芥処理装置Ｅは、水切り筒３９と、邪魔板４０と蓋部材４１とを備えている。
水切り筒３９は、厨芥投入口１に掛止される上部３９ａと、周方向に互いに隣接しヒンジ３９ｂを介して径方向外方へ揺動可能に上部３９ａに連結された複数の帯板から成る下部３９ｃとを有している。下部３９ｃの下端は、回転円板４の外周よりも径方向内側に位置決めされている。下部３９ｃを形成する各帯板の上端部に径方向内方へ差し向けられた突起３９ｃ’が形成されている。下部３９ｃを形成する各帯板に複数の小孔が形成されている。
邪魔板４０は、下部３９ｃの下端と回転円板４との間に、且つ下部３９ｃの下端に対峙し且つ接近して配設されている。邪魔板４０は、打撃刃６の上端よりも僅かに上方に位置決めされている。邪魔板４０は、下部３９ｃの下端の外径寸法と略同一の外径寸法を有している。邪魔板４０はモータ５により駆動され、回転円板４に同期して回転する。
蓋部材４１は、厨芥投入口１に掛止された時に突起３９ｃ’に上方から当接可能な筒部４１ａを有している。
水切り筒９に代えて水切り筒３９を備え、且つ邪魔板４０と蓋部材４１とを備える点を除き、厨芥処理装置Ｅの構成は厨芥処理装置Ａの構成と同様である。
厨芥処理装置Ｅにおいては、回転円板４の停止時には、図５（ａ）に示すように、水切り筒３９の下部３９ｃを形成する複数の帯板は自重により鉛直に垂れ下がっており、下部３９ｃの下端は邪魔板４０に接近し、両者間の上下方向距離は微小値になっている。水切り筒３９内に厨芥が貯留され、下部３９ｃの下端と邪魔板４０との間の微小隙間と、下部３９ｃを形成する帯板に形成された小孔とを介して、厨芥中の水分が水切り筒３９外へ排出される。水切り筒３９から排出された水分は、回転円板４に形成された複数の図示しない小孔と、回転円板４の外周と環状固定刃８との間の径方向隙間７とを通って、回転円板４下方の粉砕処理室３下部に流入し、塵芥排出口２を通って排出管βへ排出される。
回転円板４を回転させる前に、図５（ｂ）に示すように、蓋部材４１が厨芥投入口１に掛止される。蓋部材４１の筒部４１ａが突起３９ｃ’の先端部に上方から当接し、当該先端部を押し下げて、下部３９ｃを形成する帯板を径方向外方へ揺動させる。この結果、下部３９ｃの下端が上方且つ径方向外方へ移動し、下部３９ｃの下端と邪魔板４０との間の上下方向距離と、下部３９ｃの下端と邪魔板４０の外周縁との間の水平方向距離とが増加し、下部３９ｃの下端と邪魔板４０との間に適正な隙間が形成される。
回転円板４が回転すると、邪魔板４０が回転円板４に同期して回転する。水切り筒３９内に貯留された厨芥は、邪魔板４０に従動して回転し、遠心力を受け、水切り筒３９の下端と邪魔板４０外周縁との間の隙間を通って水切り筒３９から径方向外方へ排出され、回転円板４上に落下する。厨芥は、回転円板４に従動して回転し、遠心力を受け、環状固定刃８に押し付けられ、打撃刃６の打撃を受けて粉砕される。粉砕された厨芥は、回転円板４の外周と環状固定刃８との間の径方向隙間７を通って粉砕処理室３の下部へ落下し、厨芥排出口２を通って排出管βへ排出される。
下部３９ｃの下端と邪魔板４０との間に適正な隙間が形成されているので、水切り筒３９から排出される厨芥の流量が適正値に規制され、打撃刃６と環状固定刃８の間に運ばれる厨芥の流量が適正値に規制される。この結果、粉砕された厨芥が一挙に排出管へ排出されて排出管βが詰まる事態の発生が防止される。
水切り筒３９は底壁を有さないので、底壁に厨芥が詰まる事態は発生しない。また多量の厨芥が水切り筒３９に貯留されてセルフロック状態になっていても、邪魔板４０により惹起される遠心力を受けて水切り筒３９から強制排出される厨芥がセルフロック状態になった厨芥に衝突してセルフロックを解除するので、厨芥は確実に水切り筒３９から排出される。また、底壁の開放や上下反転のような複雑な操作を要することなく、水切り筒３９下端と邪魔板４０との間に適正隙間を形成するだけで、容易に厨芥を水切り筒９から排出することができる。
なお、水切り筒３９下端と邪魔板４０との間の隙間の最小値と最大値の最適値は、実験に基づいて決定するのが望ましい。
【実施例６】
【００１８】
図６（ａ）に示すように、厨芥処理装置Ｆは、厨芥投入口１に掛止される水切り筒４９と、邪魔板５０とを備えている。水切り筒４９の上端は開放されており下端には厨芥を貯留するための底壁を有さず周側壁に複数の小孔が形成されている。邪魔板５０は、水切り筒４９の下端と回転円板４との間に、且つ水切り筒４９の下端に対峙し且つ接近して配設されている。邪魔板５０は、水切り筒４９下端の外径寸法と略同一の外径寸法を有している。邪魔板５０はモータ５により駆動され、回転円板４に同期して回転する。
モータ５の出力軸５ｂが、相対遊動可能に邪魔板５０に挿通されている。出力軸５ｂに外嵌合すると共に、下端が出力軸５ｂに固定され上端が邪魔板５０に固定されたコイルバネ５１を介して、邪魔板５０は、出力軸５ｂに作動係合している。棒部材５２ａの上端がコイルバネ５１の上端部に蝶着され、棒部材５２ｂの下端がコイルバネ５０の下端部に蝶着されている。棒部材５２ａの下端と棒部材５２ｂの上端とは、錘５３に蝶着されている。棒部材５２ａ、５２ｂと錘５３とにより構成される棒部材錘組立体５４が、周方向に互いに間隔を隔てて複数配設されている。
水切り筒９に代えて水切り筒４９を備え、且つ邪魔板５０、コイルバネ５１、棒部材錘組立体５４を備える点を除き、厨芥処理装置Ｆの構成は厨芥処理装置Ａの構成と同様である。
厨芥処理装置Ｆにおいては、回転円板４の停止時には、図６（ａ）に示すように、コイルバネ５１の付勢を受けて邪魔板５０は上方位置まで押し上げられている。邪魔板５０が上方位置に在る時、邪魔板５０は水切り筒４９の下端に接近しており、両者間の上下方向距離は微小値になっている。
回転円板４が回転すると、図６（ｂ）に示すように、回転円板４に同期して邪魔板５０と棒部材錘組立体５４とが回転する。錘５３に働く遠心力により棒部材５２ａ、５２ｂに軸力が発生し、当該軸力の上下方向成分がコイルバネ５１に働いて、コイルバネ５１が押し縮められる。この結果、邪魔板５０は下方位置まで降下し、邪魔板５０と水切り筒４９の下端との間の上下方向距離が増加し、邪魔板５０と水切り筒４９の下端との間に適正隙間が形成される。邪魔板５０が下方位置に在る時、図６（ｂ）に実線で示すように打撃刃６が低い場合には打撃刃６の上端は邪魔板５０よりも僅かに下方の高さ位置に在り、図６（ｂ）に一点鎖線で示すように打撃刃６が高いは打撃刃６の上端は邪魔板５０よりも上方にある。
水切り筒の４９の下端と邪魔板５０との間に適正隙間が形成されており、邪魔板５０に従動して回転することにより遠心力を受けるので、水切り筒９内の厨芥は、支障なく前記隙間を通って水切り筒９から径方向外方へ且つ回転円板４上に排出され、回転円板４により惹起された遠心力を受けて、打撃刃６と環状固定刃の間に運ばれる。前記適正隙間が堰となって、水切り筒４９から排出される厨芥の流量が適正値に規制される。この結果、粉砕された厨芥が一挙に排出管へ排出されて排出管が詰まる事態の発生が防止される。
水切り筒４９は底壁を有さないので、底壁に厨芥が詰まる事態は発生しない。また多量の厨芥が水切り筒４９に貯留されてセルフロック状態になっていても、邪魔板５０により惹起される遠心力を受けて水切り筒４９から強制排出される厨芥がセルフロック状態になった厨芥に衝突してセルフロックを解除するので、厨芥は確実に水切り筒４９から排出される。また、底壁の開放や上下反転のような複雑な操作を要することなく、水切り筒４９下端と邪魔板５０との上下方向距離を増加させるだけで、容易に厨芥を水切り筒４９から排出することができる。
モータ５の回転数が上昇するのに連動して、水切り筒４９の下端と邪魔板５０との間の上下方向隙間が増加し、水切り筒４９から排出される厨芥の流量が増加するので、モータ５始動直後の低回転時には、厨芥の慣性モーメントは小さい。この結果、モータ５は迅速に目標回転数まで増速することができる。また、モータ５の低回転時には、打撃刃６と環状固定刃の間に運ばれる厨芥の流量は小さいので、モータ５が過負荷になる事態の発生が防止される。
なお、下方位置と上方位置とにおける邪魔板５０と水切り筒４９下端との間の上下方向距離の最適値は、実験に基づいて決定するのが望ましい。
【実施例７】
【００１９】
厨芥処理装置Ｅにおいて、水切り筒３９と蓋部材４１とに代えて、厨芥処理装置Ａの水切り筒９、蓋部材１０と同様の水切り筒と蓋部材とを配設し、或いは水切り筒厨芥処理装置Ｂの水切り筒１９、蓋部材２０と同様の水切り筒と蓋部材とを配設して、当該水切り筒と邪魔４０との間の上下方向距離を可変制御しても良い。
厨芥処理装置Ａ、Ｂ、Ｅにおいて、蓋部材１０、２０、４１を厨芥投入口１へ掛止させると、図示しないスイッチがＯＮされて回転円板４が回転を開始するように構成しても良い。回転円板４の回転時に水切り筒９、１９、３９の上端が確実に閉鎖されるので、厨芥の飛散が確実に防止され、また厨芥処理装置の安全性が向上する。
【産業上の利用可能性】
【００２０】
本発明は、厨芥処理装置に広く利用可能である。
【図面の簡単な説明】
【００２１】
【図１】本発明の第１実施例に係る厨芥処理装置の断面図である。
【図２】本発明の第２実施例に係る厨芥処理装置の断面図である。
【図３】本発明の第３実施例に係る厨芥処理装置の断面図である。
【図４】本発明の第４実施例に係る厨芥処理装置の断面図である。
【図５】本発明の第５実施例に係る厨芥処理装置の断面図である。
【図６】本発明の第６実施例に係る厨芥処理装置の断面図である。
【符号の説明】
【００２２】
Ａ、Ｂ、Ｃ、Ｄ、Ｅ、Ｆ  厨芥処理装置
α  キッチンシンク
α’  排水口
β  排出管
１  厨芥投入口
２  厨芥排出口
３  粉砕処理室
４、１４  回転円板
５  モータ
６  打撃刃
７  径方向隙間
８  環状固定刃
９、１９、２９、３９、４９  水切り筒
１８、５４  棒部材錘組立体
４０、５０  邪魔板
Ｓ  上下方向隙間
【図１】
2007075695.tif 000003
【図２】
2007075695.tif 000004
【図３】
2007075695.tif 000005
【図４】
2007075695.tif 000006
【図５】
2007075695.tif 000007
【図６】
2007075695.tif 000008